(57)【要約】【課題】  キャップと指針本体の指示部との隙間から漏れる光によって当該指示部の視認性が低下することを防止することができる計器用指針を提供する。【解決手段】  遮光性の基台１１と、当該基台１１に組み付けられる取付部２０および当該取付部２０から延設された指示部２１を有する透光性の指針本体１０と、当該指針本体１０の指示部２１が挿通される挿通口５３を有し且つ当該指針本体１０の取付部２０を覆うキャップ１２と、を備え、指針本体１０の指示部２１が、挿通口５３を通してキャップ１２の内側から外側へ延出されており、指針本体１０の取付部２０に入射された光が当該指針本体１０の指示部２１に導光されて当該指示部２１が光輝する計器用指針１であって、基台１１が、キャップ１２の内側から外側に向けて挿通口５３の縁部と指針本体１０の指示部２１との隙間Ｇから漏洩する光を遮る遮光手段を有している。【選択図】        図１
2006162388.tif 000002
【特許請求の範囲】
【請求項１】
遮光性の基台と、当該基台に組み付けられる取付部および当該取付部から延設された指示部を有する透光性の指針本体と、当該指針本体の指示部が挿通される挿通口を有し且つ当該指針本体の取付部を覆うキャップと、を備え、
前記指針本体の指示部が、前記挿通口を通して前記キャップの内側から外側へ延出されており、前記指針本体の取付部に入射された光が当該指針本体の指示部に導光されて当該指示部が光輝する計器用指針であって、
前記基台が、前記キャップの内側から外側に向けて前記挿通口の縁部と前記指針本体の指示部との隙間から漏洩する光を遮る遮光手段を有していることを特徴とする計器用指針。
【請求項２】
前記遮光手段が、前記キャップの挿通口に隣接する位置に、前記指針の指示部を狭持するように前記基台から立設された一対の遮光壁であることを特徴とする請求項１に記載の計器用指針。
【発明の詳細な説明】
【技術分野】
【０００１】
本発明は、例えば車両用の計器等に用いられる計器用指針に関する。
【背景技術】
【０００２】
従来、車両の走行速度やエンジン回転数などの計測値を表示する車両用計器として、計測値に応じた文字盤上の指標を指針により指示するアナログ式の計器が用いられており、このような計器に用いられる指針として、光源からの光を受けて光輝する指針が知られている（例えば、特許文献１参照。）。
【０００３】
特許文献１に開示されている計器用指針１００は、図４に示すように、遮光性の合成樹脂からなるキャップ１０１と、透光性の合成樹脂からなる指針本体１０２と、を備えている。キャップ１０１は指針本体１０２の取付部１０３を覆うように指針本体１０２に組み付けられ、キャップ１０１の略円筒形状に形成された周壁１０１ａには、取付部１０３から突設されて指標を指示する指針本体１０２の指示部１０４が挿通される挿通部１０５が設けられている。指針本体１０２の指示部１０４は、キャップ１０１の挿通部１０５を通してキャップ１０１の内側から半径方向外側に延出されており、取付部１０３から入射されて当該指示部１０４に導光された光により光輝するようになっている。
【０００４】
そして、この計器用指針１００においては、挿通部１０５に位置している指示部１０４の部分１０４ａに、キャップ１０１の周壁１０１ａの円周方向に沿って指示部１０４の側面１０４ｂから側方に突出する突出壁部１０６が形成されており、挿通部１０５は突出壁部１０６の外周に接合している。これにより、遮光性のキャップ１０１との接合によって指示部１０４に生じ得る影現象を指示部１０４の突出壁部１０６の近傍に発生させ、キャップ１０１の外側に配置されて文字盤上の指標を指示する部分として視認される指示部１０４の部分の輝度ムラを抑制して視認性を向上させている。
【特許文献１】特開平９−１５００３号公報（第３−６頁、図１）
【発明の開示】
【発明が解決しようとする課題】
【０００５】
上述のように、特許文献１に開示されている計器用指針１００によれば、指針本体１０２の指示部１０４の輝度ムラを抑制することができる。しかしながら、キャップ１０１の挿通部１０５と当該挿通部１０５に接合されている指針本体１０２の指示部１０４の部分（即ち、突出壁部１０６）との間に隙間が生じ、指示部１０４に導光される光の一部が当該隙間からキャップ１０１の外側に漏れる虞があった。そして、この漏れ出た光によりキャップ１０１の外側において挿通部１０５の近傍が全体的にぼやっと光り、指示部１０４の輪郭が曖昧になって視認性が低下する虞があった。
【０００６】
本発明は、上述した課題に鑑みてなされたものであり、その目的は、キャップと指針本体の指示部との隙間から漏れる光によって当該指示部の視認性が低下することを防止することができる計器用指針を提供することにある。
【課題を解決するための手段】
【０００７】
上述した目的を達成するために、本発明に係る計器用指針は、遮光性の基台と、当該基台に組み付けられる取付部および当該取付部から延設された指示部を有する透光性の指針本体と、当該指針本体の指示部が挿通される挿通口を有し且つ当該指針本体の取付部を覆うキャップと、を備え、
前記指針本体の指示部が、前記挿通口を通して前記キャップの内側から外側へ延出されており、前記指針本体の取付部に入射された光が当該指針本体の指示部に導光されて当該指示部が光輝する計器用指針であって、
前記基台が、前記キャップの内側から外側に向けて前記挿通口の縁部と前記指針本体の指示部との隙間から漏洩する光を遮る遮光手段を有していることを特徴としている。
【０００８】
そして、本発明に係る計器用指針は、前記遮光手段が、前記キャップの挿通口に隣接する位置に、前記指針の指示部を狭持するように前記基台から立設された一対の遮光壁であることを特徴としている。
【発明の効果】
【０００９】
上記のように構成された計器用指針によれば、遮光手段により、挿通口の縁部と当該挿通口に挿通された指針本体の指示部との隙間が閉塞され、当該隙間からキャップの外側に光が漏れ出ることが防止される。これにより、指針本体の指示部の視認性を向上させることができる。
【００１０】
そして、遮光手段が、キャップの挿通口に隣接する位置において指針の指示部を狭持するように基台から立設された一対の遮光壁により構成されている。このように遮光手段が簡単な構造により構成されているので、指針本体の指示部の視認性を向上させた計器用指針を安価に提供することができる。また、基台に組み付けられて且つ一対の遮光壁により指示部を狭持された指針本体はガタツキが防止され、これにより、前記隙間からキャップの外側に光が漏れ出ることを一層確実に防止することができる。さらに、指針本体を基台に組み付ける際に、この一対の遮光壁により、指針本体の基台に対する位置決めを行うことができる。
【発明を実施するための最良の形態】
【００１１】
以下、本発明に係る好適な実施形態を図面に基づいて詳細に説明する。
【００１２】
図１は本発明の一実施形態である計器用指針の分解斜視図、図２は図１に示す各部材が組み付けられた状態での計器用指針の平面図、図３は図１に示す計器用指針の縦断面図である。
【００１３】
図１に示されるように、本実施形態の計器用指針１は、指針本体１０と、基台１１と、キャップ１２と、を備えている。
【００１４】
指針本体１０は、例えば透明な合成樹脂により形成された透光性を有するプリズム部材であり、平面視略扇形状に形成された取付部２０と、取付部２０の内径側から半径方向に延設されて、先端に向かうに従って細くなるように形成された指示部２１と、を有している。
【００１５】
取付部２０には、外形側周縁部の下面から下方に向けて突出して形成された入光部２２が設けられている。この入光部２２には、図３に示すように、基板１３に組み付けられた光源であるＬＥＤ１４の発した光が入光部２２の下端面の法線方向に平行に入射するため、この入射光を屈折させずに直進させる。
【００１６】
そして、入光部２２の上方には、入光部２２に入射した光を指示部２１に向けて反射・拡散させるように湾曲して形成された反射面２３が設けられている。
【００１７】
指示部２１の下面には、例えばホットスタンプなどにより形成された着色層２６が設けられており、指示部２１は、反射面２３により反射・拡散された光を受けて着色層２６の色に光輝する。
【００１８】
また、取付部２０には、両側面から側方に向けてそれぞれ突出して形成された鍔部２４が設けられており、鍔部２４には、上下方向に貫通する貫通孔２５が設けられている。
【００１９】
基台１１は、例えば黒色に着色された合成樹脂により形成された遮光性を有する部材であり、指針本体１０の取付部２０を上面に載置される略円板形状のベース部４０と、ベース部４０の下面から下方に立設された略円筒形状の指針袴４１と、を有している。
【００２０】
指針袴４１には、例えば速度計や回転計の回転軸（不図示）が結合され、これにより、基台１１は、指針袴４１を回転軸として回転駆動される。
【００２１】
ベース部４０には、平面視略扇形状に形成された指針本体１０の入光部２２の形状に対応して、当該ベース部４０を上下方向（厚み方向）に貫通して平面視略扇形状に形成された入光窓４２が設けられている。指針本体１０が基台１１に組み付けられた際には、入光部２２はこの入光窓４２に収容され、入光部２２の前記下端面は、入光窓４２を通して、ベース部４０の下方に露出する。
【００２２】
キャップ１２は、例えば黒色に着色された合成樹脂により形成された遮光性を有する部材であり、略円板形状の天板５０と、天板５０の周縁部から下方に向けて立設された略円筒形状の周壁５１と、を有している。
【００２３】
天板５０には、下面から下方に向けて突出して形成された一組の位置決めピン５２が設けられている。また、周壁５１には、下端側の周縁部からキャップ１２の内側に向けて突出して形成された一組の係止爪５３が設けられている。
【００２４】
キャップ１２が、ベース部４０上に載置された指針本体１０の取付部２０を上方から覆うように基台１１に組み付けられた際には、位置決めピン５２の先端部５２ａは、指針本体１０の鍔部２４に設けられた貫通孔２５を貫通して、ベース部４０に設けられた係合孔４３に挿入される。これにより、指針本体１０、基台１１、およびキャップ１２は互いに適正な位置関係に配置される。尚、位置決めピン５２の基端部５２ｂは断面略十字形状に形成されており、その下端面において貫通孔２５の周縁部に当接してベース部４０との間で鍔部２４を狭持している。そして、係止爪５３が、ベース部４０に設けられた係合凹部４４に係合し、指針本体１０、基台１１、およびキャップ１２が一体となる。
【００２５】
キャップ１２には、周壁５１の下端側の周縁から上方に向けて伸びて且つ、天板５０にまたがって当該天板５０の中心に向けて連続して伸びる略コ字形状の切欠きにより挿通口５３が設けられている。また、この挿通口５３を画成している天板５０の略コ字形状の縁部５０ａには、当該縁部５０ａの全縁にわたってキャップ１２の内側に向けて突出して形成された略コ字形状のリブ５４が設けられている。
【００２６】
キャップ１２が上述のように基台１１に組み付けられた際には、指針本体１０の指示部２１は、周壁５１の縁部５１ａにより画成されている挿通口５３の部分を通してキャップ１２の内側から半径方向外側に延出される。また、天板５０の縁部５０ａにより画成されている挿通口５３の部分には、取付部２０の上面から上方に突出した指示部２１の基端部２７の上面が露出する。尚、縁部５０ａに設けられたリブ５４は、指示部２１の基端部２７を取り囲みながら取付部２０の上面に当接し、ベース部４０との間で取付部２０を狭持する。
【００２７】
図３に示すように、指針本体１０、基台１１、およびキャップ１２が一体に組み付けられ状態で、回転軸である指針袴４１を挟んで指針本体１０の指示部２１の反対側となるキャップ１２の内側の所定箇所には、錘５４が設けられている。錘５４は、天板５１の下面から下方に向けて突設された係止片５５と周壁５１との間に圧入されて保持されている。錘５４は、計器用指針１が指針袴４１を回転軸として文字盤１５上を回動する際に、キャップ１２の内側から外側に延出された指針本体１０の指示部２１とのバランスを取って指針振れ等が起きないように調整された重量を有する。
【００２８】
図２に示されるように、指針本体１０、基台１１、および該キャップ１２が一体に組み付けられ状態で、周壁５１の縁部５１ａの端面と、当該縁部５１ａの端面と対向している指示部２１の側面２１ａの部分との間には隙間Ｇが生じ得るが、本実施形態の計器用指針１においては、この隙間Ｇを閉塞して当該隙間Ｇから漏洩する光を遮光する遮光手段を有している。
【００２９】
上記の遮光手段は、キャップ１２の内側において周壁５１の縁部５１ａに隣接する位置に、基台１１のベース部４０の上面から互いに平行に立設された一対の遮光壁４５により構成されている。この一対の遮光壁４５間の幅は、当該一対の遮光壁４５間に配置される指示部２１の部分の幅と同じ寸法とされており、指針本体１０が上述のように基台１１に組み付けられた際には、一対の遮光壁４５間に配置される指示部２１の部分の両側面は一対の遮光壁４５により挟持される。
【００３０】
上記のように構成された計器用指針１によれば、図２および図３に示すように、ＬＥＤ１４から発せられた光が入射窓を通して入光部２２に入射し、入射した光は反射面２３により反射・拡散されて指示部２１に向かって導光され、この導光された光を受けて指示部２１の全体が光輝する。
【００３１】
キャップ１２の内側において指針本体１０から光が漏れた場合に、天板５０の縁部５０ａに設けられたリブ５４が取付部２０の上面に当接しており、また、周壁５１の縁部５１ａの端面と当該縁部５１ａの端面と対向している指示部２１の側面２１ａの部分との間に生じる隙間Ｇは、指示部２１の両側面を挟持する一対の遮光壁４５で構成された遮光手段により閉塞されているので、キャップ１２の外側に漏れることはない。従って、指示部２１の輪郭が文字盤１５上でくっきりと際立ち、指示部２１の視認性が大幅に向上する。
【００３２】
そして、遮光手段を一対の遮光壁４５といった簡単な構成とすることにより、指針本体１０の指示部２１の視認性を向上させた計器用指針１を安価に提供することができる。
【００３３】
また、指針本体１０は、キャップ１２の位置決めピン５２の先端部５２ａを挿通される貫通孔２５を設けられた取付部２０の鍔部２４よりも指示部２１の先端に近い箇所を一対の遮光壁４５によって挟持されており、ガタツキが防止される。これにより、車両の走行時に計器用指針１に振動等が作用しても、指示部２１が振れることなく、正確に文字盤１５上の指標を指示する。
【００３４】
さらに、指針本体１０は、基台１１に組み付けられる際に、取付部２０の入光部２２がベース部４０の入光窓４２に収容されて、且つ、指示部２１が一対の遮光壁４５により狭持されるので、基台１１に対する位置決めがなされ、これにより、計器用指針１の組み付け性が向上する。
【００３５】
尚、本発明は、前述した実施形態に限定されるものではなく、適宜、変形、改良、等が可能である。その他、前述した実施形態における各構成要素の材質、形状、寸法、数値、形態、数、配置箇所、等は本発明を達成できるものであれば任意であり、限定されない。
【００３６】
本発明は、例えばスライド式指針など、本実施形態で述べた回転式以外の計器用指針においても同様に適用することができ、同様の効果を奏する。
【図面の簡単な説明】
【００３７】
【図１】本発明の一実施形態である計器用指針の分解斜図である。
【図２】図１に示す各部材が組み付けられた状態での計器用指針の平面図である。
【図３】図１に示す各部材が組み付けられた状態での計器用指針の縦断面図である。
【図４】（Ａ）は従来の計器用指針の斜斜図、（Ｂ）は同図（Ａ）に示す計器用指針の底面図である。
【符号の説明】
【００３８】
１          計器用指針
１０        指針本体
１１        基台
１２        キャップ
２０        取付部
２１        指示部
４５        遮光壁（遮光手段）
５３        挿通口
【図１】
2006162388.tif 000003
【図２】
2006162388.tif 000004
【図３】
2006162388.tif 000005
【図４】
2006162388.tif 000006